(57)【要約】【課題】カートリッジを交換する場合に外部に水が飛び出したとき、その飛び散る範囲を小さくできる技術を提供する。【解決手段】上流側から送り込まれる原水を送出口１００から送り出すための第１通水路３６が内部に形成される第１水路形成体１６を備え、第１水路形成体１６には、送出口１００から水が送り込まれる第２水路形成体が着脱可能に取り付けられ、第１水路形成体１６及び第２水路形成体のうちの一方の内部には、原水を改質するためのカートリッジ１２を収容するカートリッジ収容室が設けられ、第２水路形成体は、カートリッジを交換するときに第１水路形成体１６から取り外され、送出口１００は、第１水路形成体１６から第２水路形成体を取り外したときに、上流側から送り込まれる水を外部に送り出せる位置に設けられ、送出口１００から水を送り出す方向Ｐａは、下向きに設定されている。【選択図】図９
2019209235.tif 000002
【特許請求の範囲】
【請求項１】
上流側から送り込まれる原水を送出口から送り出すための第１通水路が内部に形成される第１水路形成体を備え、
前記第１水路形成体には、前記送出口から水が送り込まれる第２水路形成体が着脱可能に取り付けられ、
前記第１水路形成体及び前記第２水路形成体のうちの一方の内部には、前記原水を改質するためのカートリッジを収容するカートリッジ収容室が設けられ、
前記第２水路形成体は、前記カートリッジを交換するときに前記第１水路形成体から取り外され、
前記送出口は、前記第１水路形成体から前記第２水路形成体を取り外したときに、上流側から送り込まれる水を外部に送り出せる位置に設けられ、
前記送出口から水を送り出す方向は、下向きに設定されている原水改質装置。
【請求項２】
前記第１通水路は、前記カートリッジとは別の部材が形成している請求項１に記載の原水改質装置。
【請求項３】
前記第１通水路の一部は、前記カートリッジが形成している請求項１に記載の原水改質装置。
【請求項４】
前記第１水路形成体及び前記第２水路形成体の一方には、前記カートリッジ収容室から前記カートリッジを出し入れ可能なカートリッジ出入口が形成され、
前記第１水路形成体及び前記第２水路形成体の他方は、前記カートリッジ出入口から外側に向かう方向での前記カートリッジの動きを規制する規制体であり、
前記第１水路形成体及び前記第２水路形成体は、互いに取り外すときに第１方向に相対移動するように設けられ、
前記規制体は、前記カートリッジ及び前記規制体の前記第１方向で互いに遠ざかる方向での相対移動を拘束するカートリッジ拘束部を有する請求項１から３のいずれかに記載の原水改質装置。
【請求項５】
前記カートリッジ収容室は、前記第２水路形成体の内部に形成され、
前記第２水路形成体は、
前記カートリッジの外周面と前記カートリッジ収容室の内周面との間に形成され、前記カートリッジの内部に水を送り込むための外部水路と、
前記カートリッジと前記第１水路形成体との間に形成される隙間水路と、を有し、
前記送出口から送り出される水は、前記隙間水路を経由して前記外部水路に導かれる請求項１から４のいずれかに記載の原水改質装置。
【請求項６】
上流側から送り込まれる原水を送出口から送り出すための第１通水路が内部に形成される第１水路形成体を備え、
前記第１水路形成体には、前記送出口から水が送り込まれる第２水路形成体が着脱可能に取り付けられ、
前記第２水路形成体は、前記原水を改質するためのカートリッジを構成し、自らを交換するときに前記第１水路形成体から取り外され、
前記送出口は、前記第１水路形成体から前記第２水路形成体を取り外したときに、上流側から送り込まれる水を外部に送り出せる位置に設けられ、
前記送出口から水を送り出す方向は、下向きに設定されている原水改質装置。
【請求項７】
前記第２水路形成体は、シンクの槽部内に水を吐き出し可能な吐水部を有し、
前記送出口から水を送り出す範囲は、前記送出口から送り出される水を前記槽部の内壁面で受けられるように設定される請求項１から６のいずれかに記載の原水改質装置。
【発明の詳細な説明】
【技術分野】
【０００１】
本発明は、カートリッジが用いられる原水改質装置に関する。
【背景技術】
【０００２】
特許文献１には、カートリッジ収容室が設けられた吐水ヘッドのグリップ部と、そのグリップ部に着脱可能に取り付けられる頭部とを備える吐水装置が記載されている。
【先行技術文献】
【特許文献】
【０００３】
【特許文献１】特開２０１３−４４２１６号公報
【発明の概要】
【発明が解決しようとする課題】
【０００４】
特許文献１の吐水装置では、カートリッジを交換するとき、吐水ヘッドのグリップ部から頭部が取り外される。この場合に、誤操作によって、グリップ部の内部に水を送り込まれてしまうと、グリップ部の先端部から外部かつ上向きに勢いよく水が飛び出してしまう。これに伴い、吐水装置の周囲で広範囲に水が飛び散る恐れがあるという問題がある。
【０００５】
この問題は、吐水装置にカートリッジを組み込む場合に限らない。詳しくは、第１通水路が内部に形成される第１水路形成体と、第１通水路から水が送り込まれるとともに第１水路形成体に着脱可能に取り付けられる第２水路形成体とを備える原水改質装置に概ね共通する問題であり、その改善が望まれる。
【０００６】
本発明のある態様は、このような課題に鑑みてなされ、その目的の１つは、カートリッジを交換する場合に外部に水が飛び出したとき、その飛び散る範囲を小さくできる技術を提供することにある。
【課題を解決するための手段】
【０００７】
前述の課題を解決するための本発明の第１態様は原水改質装置である。第１態様の原水改質装置は、上流側から送り込まれる原水を送出口から送り出すための第１通水路が内部に形成される第１水路形成体を備え、前記第１水路形成体には、前記送出口から水が送り込まれる第２水路形成体が着脱可能に取り付けられ、前記第１水路形成体及び前記第２水路形成体のうちの一方の内部には、前記原水を改質するためのカートリッジを収容するカートリッジ収容室が設けられ、前記第２水路形成体は、前記カートリッジを交換するときに前記第１水路形成体から取り外され、前記送出口は、前記第１水路形成体から前記第２水路形成体を取り外したときに、上流側から送り込まれる水を外部に送り出せる位置に設けられ、前記送出口から水を送り出す方向は、下向きに設定されている。
【０００８】
この態様によれば、送出口から水を送り出す方向が上向きに設定されている場合と比べ、送出口から外部に水が飛び出したとき、その水の飛び散る範囲を小さくできる。
【図面の簡単な説明】
【０００９】
【図１】第１実施形態の原水改質装置の斜視図である。
【図２】第１実施形態の原水改質装置の部分断面側面図である。
【図３】第１実施形態の原水改質装置のカートリッジを交換している途中の状態を示す図である。
【図４】第１実施形態の原水改質装置の設置状態を示す平面図である。
【図５】第１実施形態の原水改質装置の内部に形成される一部の水路に関する説明図である。
【図６】第１実施形態の第２水路形成体に関する分解図である。
【図７】図２の第１水路形成体周りの拡大図である。
【図８】第１実施形態の第１水路形成体の一部を下方から見た斜視図である。
【図９】第１実施形態の第１水路形成体から第２水路形成体を取り外した状態を示す側面断面図である。
【図１０】図９のＡ−Ａ線断面図である。
【図１１】図７の一部の拡大図である。
【図１２】図７のＢ−Ｂ線断面図である。
【図１３】第１実施形態のストレーナの正面図である。
【図１４】図１３のＣ−Ｃ線断面図である。
【図１５】図１３の矢視Ｄから見た図である。
【図１６】第１実施形態のストレーナ出入口を通してストレーナを押し込む途中の状態を示す図である。
【図１７】図９のＤ−Ｄ線断面図である。
【図１８】第１実施形態の誤組付防止構造の説明図である。
【図１９】第２実施形態の原水改質装置の一部を示す側面断面図である。
【図２０】図１９からカートリッジを取り外した状態を示す図である。
【図２１】第２実施形態のカートリッジの第１エンドキャップを示す斜視図である。
【図２２】第２実施形態の第１水路形成体から第２水路形成体を取り外した状態を示す側面断面図である。
【図２３】第３実施形態の原水改質装置の模式的な正面図である。
【図２４】第４実施形態の原水改質装置の一部を示す図である。
【発明を実施するための形態】
【００１０】
以下、実施形態、変形例では、同一の構成要素に同一の符号を付し、重複する説明を省略する。各図面では、説明の便宜のため、構成要素の一部を適宜省略したり、構成要素の寸法を適宜拡大、縮小して示す。図面は符号の向きに合わせて見るものとする。本明細書での「接触」とは、特に明示がない限り、言及している二者が直接的に接触する場合の他に、他の部材を介して間接的に接触する場合も含む。
【００１１】
（第１の実施の形態）
図１は、第１実施形態の原水改質装置１０の斜視図である。図２は、原水改質装置１０の部分断面側面図である。図３は、原水改質装置１０のカートリッジ１２を交換している途中の状態を示す図である。
【００１２】
原水改質装置１０は、上流側から原水が送り込まれる第１水路形成体１６と、第１水路形成体１６に着脱可能に取り付けられる第２水路形成体１８と、各水路形成体１６、１８を支持する装置ベース２０とを備える。本実施形態の第１水路形成体１６は、第２水路形成体１８を装置ベース２０に接続する継手部材でもある。本実施形態の第２水路形成体１８は、吐水部２６から水を吐き出し可能な吐水ヘッド２１でもある。本実施形態において、第２水路形成体１８の内部には、カートリッジ出入口１４ａを通してカートリッジ１２を出し入れ可能なカートリッジ収容室１４が設けられる。
【００１３】
原水改質装置１０は、ユーザにより操作される操作部材２２と、操作部材２２に対する操作を通じて各水路形成体１６、１８に送り込まれる水の流量や温度を調整可能な弁ユニット２４と、を備える水栓装置でもある。
【００１４】
第１水路形成体１６及び第２水路形成体１８は、カートリッジ１２を交換するときに互いに取り外される。第１水路形成体１６及び第２水路形成体１８は、互いに取り外すときに互いに遠ざかる方向に相対移動するように設けられる。以下、このように第１水路形成体１６及び第２水路形成体１８が相対移動する方向をＸ方向（第１方向）という。また、便宜的に、Ｘ方向の一方側となる吐水ヘッド２１の先端側を単に「先端側」といい、Ｘ方向の他方側を「基端側」という。また、Ｘ方向の方向軸線を中心とする円の円周方向、半径方向を単に「周方向」、「径方向」という。
【００１５】
以下、原水改質装置１０の概要を説明してから、その主な工夫点を説明する。
【００１６】
図４は、原水改質装置１０の設置状態を示す平面図である。図１、図４に示すように、装置ベース２０は、たとえば、流し台、洗面キャビネット等の基体２８に設置される。本実施形態の基体２８は、正面側（図４の下側）に居るユーザの作業に用いられるカウンター３０と、カウンター３０に一体化されたシンク３２とを有する。シンク３２は、第２水路形成体１８の吐水部２６から吐き出される水を受けるための槽部３２ａを有する。
【００１７】
図５は、原水改質装置１０の内部に形成される一部の水路に関する説明図である。原水改質装置１０は、吐水部２６に水を供給するための給水路３４を備える。給水路３４は、第１水路形成体１６の内部に形成される第１通水路３６と、第２水路形成体１８の内部に形成される第２通水路３８とを有する。第１通水路３６は、上流側から送り込まれる原水を送出口１００から送り出せる。本実施形態での「上流側」とは後述する給水ホース７４をいう。第２通水路３８には、第１通水路３６の送出口１００から水が送り込まれる。
【００１８】
給水路３４は、複数の上流側水路４２Ａ、４２Ｂと複数の下流側水路４４Ａ、４４Ｂとを有する。複数の上流側水路４２Ａ、４２Ｂには、カートリッジ１２を経由せずに下流側水路４４Ａ、４４Ｂに原水を送るための原水水路４２Ａと、カートリッジ１２を経由して下流側水路４４Ａ、４４Ｂに改質水を送るための改質水水路４２Ｂとが含まれる。複数の下流側水路４４Ａ、４４Ｂには、吐水部２６からストレート吐水で水を吐き出すためのストレート用水路４４Ａと、吐水部２６からシャワー吐水で水を吐き出すためのシャワー用水路４４Ｂとが含まれる。本実施形態において、これらの水路４２Ａ、４２Ｂ、４４Ａ、４４Ｂは第２通水路３８に設けられる。
【００１９】
原水改質装置１０は、複数の上流側水路４２Ａ、４２Ｂのいずれかと、複数の下流側水路４４Ａ、４４Ｂのいずれかとに通水経路を切り替え可能な弁機構４６を備える。本実施形態の弁機構４６は切替弁である。
【００２０】
原水改質装置１０は、ユーザにより操作されることで弁機構４６を作動させる複数の操作体４８、５０を備える。操作体４８、５０には、複数の上流側水路４２Ａ、４２Ｂのいずれかを通水経路に切り替えるように弁機構４６を作動させる押しボタン４８と、複数の下流側水路４４Ａ、４４Ｂのいずれかを通水経路に切り替えるように弁機構４６を作動させる回転ハンドル５０が含まれる。
【００２１】
図６は、第２水路形成体１８に関する分解図である。第２水路形成体１８は、ハウジング５２と、内部アセンブリ５４と、吐水部材５６と、を備える。
【００２２】
ハウジング５２は、第１筒状部５２ａと、第１筒状部５２ａの外周部から突出する第２筒状部５２ｂとを有する。第１筒状部５２ａは、基端部から先端部までの範囲で継ぎ目なく連続するように形成される。第２筒状部５２ｂは、根本部から先端部までの範囲で継ぎ目なく連続するように形成される。ハウジング５２の第１筒状部５２ａの基端部から第２筒状部５２ｂの根本部までの範囲は、ユーザにより把持される吐水ヘッドのグリップ部５２ｃを構成する。本実施形態のカートリッジ収容室１４はグリップ部５２ｃの内側に設けられる。
【００２３】
内部アセンブリ５４は、ハウジング５２の第１筒状部５２ａに挿通される。本実施形態の内部アセンブリ５４は複数の内部部品を組み合わせて構成されるが、単数の内部部品により構成されてもよい。吐水部材５６は、ハウジング５２の第２筒状部５２ｂに先端側から差し込まれ、内部アセンブリ５４に接続される。吐水部材５６には吐水部２６が設けられる。
【００２４】
本実施形態のカートリッジ収容室１４は、内部アセンブリ５４の内側に設けられる。カートリッジ収容室１４のカートリッジ出入口１４ａは、装置ベース２０側にある第２水路形成体１８の基端側の端部１８ａに形成される。詳しくは、カートリッジ出入口１４ａは、内部アセンブリ５４の基端側の端部に形成される。
【００２５】
カートリッジ１２は、原水を改質して改質水を生成するためのものである。本明細書での「改質」とは、物理変化や化学変化を経て、特定の成分を原水から除去又は原水に付与することをいう。
【００２６】
図２に示すように、カートリッジ収容室１４の内周面とカートリッジ１２の外周面との間には原水水路４２Ａの一部となる外部水路５８が形成される。外部水路５８は、カートリッジ１２の改質部６８（後述する）を通してカートリッジ１２の内部に水を送り込むためのものである。
【００２７】
本実施形態のカートリッジ１２は、Ｘ方向に沿って長い長尺状である。本実施形態のカートリッジ１２は、Ｘ方向の全長に亘る範囲がカートリッジ収容室１４内に収容される。カートリッジ１２は、カートリッジ出入口１４ａより奥側に収まるようにカートリッジ収容室１４に収容されることになる。
【００２８】
図２、図６に示すように、本実施形態のカートリッジ１２は、長尺状のカートリッジ本体６０と、カートリッジ本体６０の両端部に取り付けられるエンドキャップ６２，６４とを備える。エンドキャップ６２、６４には、Ｘ方向において先端側にある第１エンドキャップ６２と、基端側にある第２エンドキャップ６４とが含まれる。
【００２９】
カートリッジ本体６０は、カートリッジ本体６０の内部に設けられるとともに改質水水路４２Ｂの一部となる内部水路６６と、外部水路５８と内部水路６６の間に設けられる改質部６８と、を有する。改質部６８は、外部水路５８から内部水路６６に水を通すことができ、改質材により原水を改質することで改質水を生成可能である。本実施形態の改質部６８は、複数の不織布等の透水膜間に改質材を収容して構成される。改質材は、たとえば、活性炭、炭酸カルシウム等である。
【００３０】
図７は、図２の第１水路形成体１６周りの拡大図である。図２、図７に示すように、装置ベース２０は、基体２８に支持されるベース本体７０と、ベース本体７０に固定されるガイド７２とを備える。本実施形態のベース本体７０は、筒状の胴部７０ａと、胴部７０ａの外周部から突き出るとともにベース孔７０ｃが形成される筒状部７０ｂとを有する。前述の操作部材２２は胴部７０ａの先端部に設けられ、弁ユニット２４は胴部７０ａに内蔵される。ガイド７２は、ベース本体７０のベース孔７０ｃに先端側から差し込まれるとともに留め具によりベース本体７０に固定される。
【００３１】
ガイド７２は、給水ホース７４を引き出し可能なホース挿通孔７２ａと、第２水路形成体１８が第１水路形成体１６を介して接続される接続部７２ｂとを有する。給水ホース７４は可とう性を持つ素材を用いて構成される。
【００３２】
第１水路形成体１６は、カートリッジ出入口１４ａから外側に向かう方向（図７の右下方向）でのカートリッジ１２の動きを規制する規制体１０２でもある。ここでの「外側に向かう方向」とは、カートリッジ出入口１４ａからＸ方向において第２水路形成体１８から遠ざかる方向をいう。
【００３３】
第１水路形成体１６及び第２水路形成体１８は、不図示の取付構造とロック部材７６の組み合わせによって、互いに着脱可能に取り付けられる。取付構造は、たとえば、凸部と凹部を組み合わせた嵌合構造である。本実施形態の第１水路形成体１６は、カートリッジ収容室１４内にカートリッジ出入口１４ａを通して差し込まれている。本実施形態の第１水路形成体１６は、このようなカートリッジ出入口１４ａの開閉を伴い第２水路形成体１８に着脱可能に取り付けられる。
【００３４】
第１水路形成体１６は、全体として有底筒状をなす。第１水路形成体１６には、その内側に配置されるホース継手７８を介して給水ホース７４が接続される。第１水路形成体１６の内側には装置ベース２０の接続部７２ｂが差し込まれる。接続部７２ｂは、第２水路形成体１８がＸ方向に沿って動くように第２水路形成体１８をガイド可能である。
【００３５】
本実施形態の第１水路形成体１６は、第２水路形成体１８を装置ベース２０に脱着自在に接続する。第２水路形成体１８は、装置ベース２０の接続部７２ｂによるガイドを伴いＸ方向に沿って動かされることで、装置ベース２０に対して脱着する。装置ベース２０から第２水路形成体１８を取り外すとき、装置ベース２０のホース挿通孔７２ａから給水ホース７４が引き出される。一方、装置ベース２０に第２水路形成体１８を取り付けるとき、ホース挿通孔７２ａに給水ホース７４が押し戻される。
【００３６】
ロック部材７６は、ユーザの操作によって、第２水路形成体１８に対する第１水路形成体１６のロックの有無を切り替え可能である。第１水路形成体１６及び第２水路形成体１８は、ロック部材７６によるロックを解除したとき、互いに着脱自在となる。
【００３７】
カートリッジ収容室１４を形成する内壁面と第１水路形成体１６との間には第１シール部材８０が配置される。第１シール部材８０はＯリング等の弾性体であり、カートリッジ収容室１４と第１水路形成体１６の間をシールする。
【００３８】
（第１の工夫点）
ここで、本実施形態の原水改質装置１０は、第１水路形成体１６の第１通水路３６に一つの特徴がある。図８は、第１水路形成体１６の一部を下方から見た斜視図である。図７、図８に示すように、本実施形態の第１通水路３６は、第１水路形成体１６やホース継手７８の内部に形成され、その送出口１００は第１水路形成体１６に形成される。本実施形態の第１通水路３６や送出口１００はカートリッジ１２とは別の部材が形成していることになる。
【００３９】
第１通水路３６は、Ｘ方向に水が流れる水路部３６ａと、水路部３６ａを流れる水に対して下流側に設けられる突き当たり面３６ｂとを有する。第１通水路３６の送出口１００は、水路部３６ａのＸ方向に延びる内周面に開口するように設けられる。突き当たり面３６ｂは、水路部３６ａをＸ方向に流れる水が衝突したとき、その水が送出口１００に向けて流れるように、その水の流れ方向を変更させる。
【００４０】
本実施形態における原水改質装置１０では、カートリッジ１２を交換するとき、次の手順（ａ）、（ｂ）を経る。（ａ）第１水路形成体１６から第２水路形成体１８を取り外し、カートリッジ出入口１４ａを通してカートリッジ収容室１４から既存のカートリッジ１２を取り出す（図３参照）。（ｂ）カートリッジ出入口１４ａを通してカートリッジ収容室１４に新規のカートリッジ１２を押し込み、第２水路形成体１８を第１水路形成体１６に取り付ける。このように、第２水路形成体１８は、カートリッジ１２を交換するときに第１水路形成体１６から取り外される。
【００４１】
図９は、第１水路形成体１６から第２水路形成体１８を取り外した状態を示す側面断面図である。図１０は、図９のＡ−Ａ線断面図である。本図では後述するストレーナ１１６を省略する。図８〜図１０に示すように、第１通水路３６の送出口１００は、このように第１水路形成体１６から第２水路形成体１８を取り外したときに、上流側から送り込まれる水を外部に送り出せる位置に設けられる。このような位置として、本実施形態の送出口１００は、第１水路形成体１６から第２水路形成体１８を取り外したときに、第１水路形成体１６の外部に露出する外周面に開口するように設けられる。
【００４２】
送出口１００から水を送り出す送出方向Ｐａは下向きに設定されている。送出方向Ｐａは、本実施形態において、Ｘ方向と直交する下向きの方向に設定されているが、Ｘ方向と無関係に下向きの方向に設定されていてもよい。送出口１００の送出方向Ｐａは、送出口１００から少なくとも一部の水が上向きに送り出されず、かつ、Ｘ方向と直交する水平方向Ｙ（以下、単にＹ方向という）に沿って送り出されないように設定されるともいえる。また、送出口１００の送出方向Ｐａは、送出口１００から少なくとも一部の水がＸ方向の第２水路形成体１８側に向けてＸ方向に沿って送り出されないように設定されるともいえる。
【００４３】
以上の利点を説明する。
【００４４】
（Ａ)カートリッジ１２を交換するために、第１水路形成体１６から第２水路形成体１８を取り外した場合で、操作部材２２の誤操作等によって、第１通水路３６に水が送り込まれてしまった場合を考える。本実施形態において、第１通水路３６の送出口１００の送出方向Ｐａは下向きに設定されている。よって、前述の場合において、送出口１００の送出方向Ｐａが上向きに設定されているケースと比べ、送出口１００から外部に水が飛び出したとき、その飛び散る範囲を小さくできる。これは、送出口１００の送出方向Ｐａが上向きに設定されているケースと比べ、送出口１００から外部に水が飛び出してから着水するまでの時間が短くなり、その分、その外部に飛び出した水が広がり難くなることに起因する。
【００４５】
第１通水路３６はカートリッジ１２とは別の部材が形成している。よって、カートリッジ１２の有無によらず、第１通水路３６の送出口１００から下向きに水を送り出せる。このため、カートリッジ１２の有無によらず、第１通水路３６の送出口１００から外部に水が飛び出したときに、その飛び散る範囲を小さくできる。
【００４６】
図４に示すように、本実施形態の送出口１００から水を送り出す範囲Ｓａは、送出口１００から送り出される水をシンク３２の槽部３２ａの内壁面で受けられるように設定される。本実施形態では、全ての水を槽部３２ａの底壁面で受けられるように設定される。この条件は、装置ベース２０が基体２８に鉛直軸周りに回転可能に設置される場合、その回転可能範囲の一部で満たしていればよい。これにより、第１通水路３６の送出口１００から外部に水が飛び出しても、シンク３２の槽部３２ａの外部まで水が届くのを避けられ、その水によりユーザが濡れてしまう事態を防止できる。
【００４７】
本工夫点に関する他の特徴を説明する。図１１は、図７の一部の拡大図である。図１２は、図７のＢ−Ｂ線断面図である。第２水路形成体１８は、カートリッジ１２と第１水路形成体１６との間に形成される第１隙間水路１０４を有する。第１隙間水路１０４は、カートリッジ１２と第１水路形成体１６のＸ方向で互いに対向する箇所の間に形成される。第１隙間水路１０４は、第１通水路３６の送出口１００の下方から、カートリッジ１２の長手方向（Ｘ方向）に延びる中心軸線Ｌｃ１周りで周方向に広がるように形成される。本実施形態の第１隙間水路１０４は環状に広がるように形成される。第１隙間水路１０４は、前述の外部水路５８とＸ方向に重なる位置に設けられ、その外部水路５８に連通している。
【００４８】
なお、外部水路５８は、カートリッジ収容室１４の内周面とカートリッジ本体６０の外周面との間や、第１エンドキャップ６２の外周部に形成される複数のリブ部６２ａの間に形成される。
【００４９】
各水路形成体１６、１８の内部での水の流れ方を説明する。第１通水路３６の水路部３６ａを流れる水は突き当たり面３６ｂと衝突し、第１通水路３６の送出口１００に向けて流れるように流れ方向を変更する（方向Ｐｂ１参照）。このとき、突き当たり面３６ｂと衝突した水は、自重の影響を受けつつ流れ方向を下向きに変更する。第１通水路３６の送出口１００から送り出される水は、第２水路形成体１８の第１隙間水路１０４に送り込まれた後、第１隙間水路１０４を経由して外部水路５８に導かれる。
【００５０】
前述の押しボタン４８により原水水路４２Ａを通水経路に切り替えた場合、外部水路５８に送り込まれる水はカートリッジ１２を経由せずに下流側水路４４Ａ、４４Ｂ（図５参照）に送り出される。前述の押しボタン４８により改質水水路４２Ｂを通水経路に切り替えた場合、外部水路５８に送り込まれる水は、カートリッジ１２のカートリッジ本体６０の外周部から改質部６８を経由して改質水水路４２Ｂに送り出される。
【００５１】
ここで、送出口１００から送り出される水は、第１隙間水路１０４を経由する過程で拡散してから外部水路５８に送り出される。このとき、送出口１００から送り出される水は、第１隙間水路１０４の内周面やカートリッジ１２の基端側端面との衝突を伴い、第１隙間水路１０４内で周方向に広がるように拡散する（方向Ｐｂ２参照）。よって、送出口１００から送り出される水を第１隙間水路１０４を経由せずに外部水路５８に送り出す場合と比べ、外部水路５８に周方向で均一に水を流し易くなる。これに伴い、カートリッジ１２の外周部から内部に向かう水の入り込み量を周方向で均一にでき、カートリッジ１２を経由する水の流量の増大を図れる。この結果、吐水部２６から吐き出される改質水の流量の増大を図れる。
【００５２】
なお、第１通水路３６の送出口１００の開口面積は、本実施形態において、第１通水路３６より上流側の水路の最小断面積より大きくなるように設定される。ここでの開口面積とは送出口１００の中心軸線Ｌｂ（図１０参照）に直交する断面での送出口１００の面積をいう。
【００５３】
（第２の工夫点）
原水改質装置１０の他の工夫点を説明する。図７、図８を参照する。本実施形態の第１水路形成体１６が構成する規制体１０２は、カートリッジ１２及び規制体１０２のＸ方向で互いに遠ざかる方向での相対移動を拘束するカートリッジ拘束部８２を有する。また、本実施形態のカートリッジ１２は、規制体１０２のカートリッジ拘束部８２により前述の相対移動が拘束される被拘束部８４を有する。詳しく説明する。
【００５４】
規制体１０２のカートリッジ拘束部８２は、カートリッジ１２とＸ方向に対向する位置に設けられる。本実施形態のカートリッジ拘束部８２は、規制体１０２の先端側の端面部からＸ方向に突き出る突起部８２ａと、突起部８２ａから突き出る爪部８２ｂとを有する。本実施形態のカートリッジ拘束部８２は、カートリッジ１２の被拘束部８４を取り囲むようにＵ字状に延びている。本実施形態のカートリッジ拘束部８２は、上向きに開放する開放口８２ｃが形成される溝部を構成する。
【００５５】
カートリッジ１２の被拘束部８４は、カートリッジ１２の基端側の端面部からＸ方向に突き出る凸部８４ａと、凸部８４ａの基端側の端部から径方向外側に張り出す爪受け部８４ｂとを有する。本実施形態の爪受け部８４ｂは環状に連続している。
【００５６】
爪部８２ｂは、カートリッジ１２の爪受け部８４ｂの裏側に配置され、その爪受け部８４ｂに裏側から引っ掛けられる。ここでの「裏側」とは、第１エンドキャップ６２の爪受け部８４ｂに対してＸ方向で規制体１０２から離れる側（図７の左上側）をいう。これにより、被拘束部８４は、規制体１０２の一部となるカートリッジ拘束部８２が引っ掛かることによって、Ｘ方向に拘束される。
【００５７】
図３に示すように、第２水路形成体１８は、装置ベース２０に接続された状態の規制体１０２から分離可能である。規制体１０２のカートリッジ拘束部８２は、装置ベース２０に接続された状態の規制体１０２から第２水路形成体１８を分離したとき、カートリッジ１２の被拘束部８４を支持している。
【００５８】
被拘束部８４は、カートリッジ拘束部８２の開放口８２ｃを通してカートリッジ拘束部８２の内側から方向Ｐａに出し入れ可能である。被拘束部８４は、規制体１０２に対して、Ｘ方向と交差する方向に脱着自在に構成されることになる。被拘束部８４は、規制体１０２に対して、Ｘ方向に脱着自在に構成される。本実施形態では、規制体１０２のカートリッジ拘束部８２及び被拘束部８４の少なくとも一方の弾性変形を伴い脱着自在である。
【００５９】
以上の工夫点の効果を説明する。カートリッジ１２は、カートリッジ１２の被拘束部８４や規制体１０２のカートリッジ拘束部８２によって、規制体１０２とＸ方向に一体的に動かせる。よって、第１水路形成体１６及び第２水路形成体１８をＸ方向での相対移動を伴い分離するとき、規制体１０２によってカートリッジ収容室１４のカートリッジ出入口１４ａからカートリッジ１２を取り出せる（図３参照）。このため、第１水路形成体１６及び第２水路形成体１８の取り外し作業とカートリッジ１２の取り出し作業を同時に行うことができ、カートリッジ１２の取り出し作業にかかる手間を軽減できる。
【００６０】
（第３の工夫点）
原水改質装置１０の他の工夫点を説明する。図７、図８を参照する。原水改質装置１０は、前述の第１水路形成体１６の他に、第１水路形成体１６の第１通水路３６に配置されるストレーナ１１６を備える。原水改質装置１０は、第１水路形成体１６とストレーナ１１６を有する水回り部品１１８を備えていると捉えられる。また、原水改質装置１０は、このような水回り部品１１８を備える水回り装置１２０であるとも捉えられる。
【００６１】
図１３は、ストレーナ１１６の正面図である。図１４は、図１３のＣ−Ｃ線断面図である。図１４では周辺構造を併せて示す。ストレーナ１１６は、第１通水路３６を横断するように配置される。
【００６２】
ストレーナ１１６は、厚み方向Ｐｔに水が通り抜け可能なシート状のスクリーン１２２と、スクリーン１２２を保持する保持部材１２４とを有する。厚み方向Ｐｔは、シート状のスクリーン１２２の厚み方向をいう。厚み方向Ｐｔは、シート状のスクリーン１２２の主面の法線方向でもある。厚み方向Ｐｔは、本実施形態において、Ｘ方向でもある。
【００６３】
スクリーン１２２は、自らを通り抜けようとする水に含まれる異物を捕捉可能である。本実施形態のスクリーン１２２は、メッシュであるが、多孔板等でもよい。第１通水路３６を流れる水はスクリーン１２２を経由して送出口１００から送り出される（矢印Ｐｄ参照）。
【００６４】
保持部材１２４は、たとえば、樹脂等を用いて構成される。保持部材１２４は、厚み方向Ｐｔに貫通する貫通孔１２４ａが形成される板状の基部１２４ｂを有する。本実施形態の基部１２４ｂには複数の貫通孔１２４ａが形成される。スクリーン１２２は貫通孔１２４ａを横断するように配置される。基部１２４ｂは、環状の外枠部１２４ｃと、外枠部１２４ｃの内側に架け渡される内枠部１２４ｄとを有する。基部１２４ｂの貫通孔１２４ａは外枠部１２４ｃや内枠部１２４ｄに囲まれて形成される。外枠部１２４ｃや内枠部１２４ｄはストレーナ１１６の外周縁部を挟持することでストレーナ１１６を保持する。
【００６５】
ストレーナ１１６は、第１水路形成体１６に形成されるストレーナ出入口１２６を通して厚み方向Ｐｔと交差する方向に出し入れ自在に構成される。本実施形態のストレーナ出入口１２６は、第１通水路３６の一部、詳しくは、第１通水路３６の送出口１００を構成している。
【００６６】
図１５は、図１３の矢視Ｄから見た図である。本図は、ストレーナ出入口１２６に対するストレーナ１１６の出し入れ方向Ｐｅからストレーナ１１６を見た図でもある。本実施形態のストレーナ１１６は、ストレーナ１１６の出し入れ方向Ｐｅから見て、扁平な形状である。詳しくは、スクリーン１２２の厚み方向Ｐｔでの寸法を厚み寸法Ｌｔとし、出し入れ方向Ｐｅから見て厚み方向Ｐｔと直交する方向での寸法を幅寸法Ｌｗとする。このとき、ストレーナ１１６は、厚み寸法Ｌｔより幅寸法Ｌｗが大きい扁平な形状である。ストレーナ１１６の幅寸法Ｌｗは、たとえば、厚み寸法Ｌｔの２倍以上の大きさに設定される。この条件は、本実施形態において、ストレーナ１１６の全体が満たしているが、ストレーナ出入口１２６より奥側に配置されるストレーナ１１６の一部１１６ｂ（図１４参照）が満たしていればよい。
【００６７】
これにより、ストレーナ１１６の一部１１６ｂを円筒状とするより、ストレーナ１１６の一部１１６ｂや第１水路形成体１６の厚み方向Ｐｔでの寸法の小型化を図れる。
【００６８】
図１４に戻る。ストレーナ１１６は、厚み方向Ｐｔで上流側に位置する上流側側面１２８ａと、厚み方向Ｐｔで下流側に位置する下流側側面１２８ｂとを有する。第１水路形成体１６は、ストレーナ１１６の上流側側面１２８ａと厚み方向Ｐｔに対向する上流側対向面１３０ａと、その下流側側面１２８ｂと厚み方向Ｐｔに対向する下流側対向面１３０ｂとを有する。ストレーナ出入口１２６を通してストレーナ１１６を出し入れするとき、ストレーナ１１６は、これら一対の対向面１３０ａ、１３０ｂに対するスライドを伴い、ストレーナ出入口１２６を通して方向Ｐｅに出し入れ自在である。
【００６９】
ストレーナ１１６のメンテナンス方法を説明する。このメンテナンスは、ストレーナ１１６の清掃、交換等を目的として行われる。この清掃は、たとえば、ストレーナ１１６により捕捉した異物の除去を目的とする。ストレーナ１１６をメンテナンスするとき、第１水路形成体１６から第２水路形成体１８を取り外して、ストレーナ出入口１２６を外部に露出した状態にする（図９参照）。この状態のもと、ストレーナ出入口１２６を通してストレーナ１１６を引き出し、ストレーナ１１６をメンテナンスする。ストレーナ１１６のメンテナンスが完了したら、ストレーナ出入口１２６を通してストレーナ１１６を押し込む。第１水路形成体１６の内部でストレーナ１１６が配置されるべき箇所までストレーナ１１６を押し込んだら、第２水路形成体１８を第１水路形成体１６を取り付ける。
【００７０】
以上の工夫点の効果を説明する。ストレーナ１１６は、ストレーナ出入口１２６を通して出し入れ自在に構成される。よって、ストレーナ出入口１２６を通してストレーナ１１６を容易に出し入れでき、ストレーナ１１６のメンテナンスの容易化を図れる。
【００７１】
かりに、スクリーンの厚み方向にストレーナを出し入れ自在な構成とした場合を考える。この場合、ストレーナ出入口から奥まった箇所にストレーナが配置されると、ストレーナを掴みにくくなり、ストレーナ出入口からストレーナを取り出し難くなる。
【００７２】
この点、本実施形態のように、スクリーン１２２の厚み方向Ｐｔと交差する方向にストレーナ１１６を出し入れ自在な構成とした場合、ストレーナ出入口１２６の近くにストレーナ１１６の側部１１６ａを配置できる。よって、ストレーナ１１６の側部１１６ａを掴んでストレーナ出入口１２６からストレーナ１１６を引き出し易くなり、この点でも、ストレーナ１１６のメンテナンスの容易化を図れる。
【００７３】
ストレーナ１１６が配置される第１通水路３６は、給水路３４においてカートリッジ１２を経由する改質水水路４２Ｂより上流側に設けられる（図５参照）。よって、ストレーナ１１６により異物を捕捉してからカートリッジ１２を経由するように水を流すことができ、その異物によるカートリッジ１２の目詰まりを防げる。
【００７４】
ストレーナ出入口１２６は、第１通水路３６の一部を構成している。よって、第１通水路３６の一部がストレーナ出入口１２６を兼ねるような設計を実現できる。特に、第１通水路３６の一部をストレーナ出入口１２６とは別の箇所に設けるより、省スペース化を図れる利点がある。
【００７５】
本工夫点に関連する他の特徴を説明する。図１４を参照する。ストレーナ１１６は、ストレーナ１１６の上流側側面１２８ａから厚み方向Ｐｔに窪む凹部１３２を有する。凹部１３２は、ストレーナ１１６の上流側側面１２８ａに開口している。スクリーン１２２は、凹部１３２の上流側開口縁１３２ａより凹部１３２の底側に設けられる。本実施形態のスクリーン１２２は、凹部１３２の底面部を構成している。
【００７６】
これにより、ストレーナ１１６の凹部１３２内でスクリーン１２２により異物を捕捉できる。よって、ストレーナ出入口１２６からストレーナ１１６を引き出すとき、ストレーナ出入口１２６の壁面１２６ａ（図１４参照）に異物が引っ掛かるのを抑えられる。これに伴い、ストレーナ１１６により捕捉した異物が第１水路形成体１６の内部に残存してしまう事態を避けられる。
【００７７】
図１３、図１４を参照する。ストレーナ１１６の下流側側面１２８ｂは、第１水路形成体１６の下流側対向面１３０ｂ側に向けて突出するとともに、その下流側対向面１３０ｂに接触する間隔保持部１３４を有する。本実施形態の間隔保持部１３４はストレーナ１１６に複数設けられる。詳しくは、間隔保持部１３４は、保持部材１２４の外枠部１２４ｃや内枠部１２４ｄから突出するように設けられる。本実施形態の間隔保持部１３４は、ストレーナ１１６の出し入れ方向Ｐｅに延びている。
【００７８】
（Ｂ）間隔保持部１３４は、ストレーナ１１６の下流側側面１２８ｂと第１水路形成体１６の下流側対向面１３０ｂとの間の間隔を保持する役割を果たす。これにより、第１水路形成体１６の下流側対向面１３０ｂとストレーナ１１６との間に流れ方向を変えるための第２隙間水路１３６を形成する設計を実現できる。スクリーン１２２を通り抜けた水は、この第２隙間水路１３６を経由する過程で、第１水路形成体１６の下流側対向面１３０ｂが構成する突き当たり面３６ｂに突き当たることで、送出口１００に向けて流れるように流れ方向が変えられる。
【００７９】
ストレーナ１１６は、一対の対向面１３０ａ、１３０ｂの間に圧入された状態で配置される。これにより、簡易な構成によって、ストレーナ１１６の厚み方向Ｐｔでの位置ずれを防げる。このような位置ずれが生じると、第１水路形成体１６の上流側対向面１３０ａとストレーナ１１６の間に隙間が生じ、その隙間からストレーナ１１６より下流側に異物が漏れる恐れがある。この点、本実施形態によれば、そのような事態を避けられる利点がある。特に、ストレーナ１１６を厚み方向Ｐｔに押さえる押さえ部材を不要とできるうえ、ストレーナ１１６の厚み方向Ｐｔでの寸法誤差の影響を排除して、このような効果を得られる利点がある。
【００８０】
ストレーナ１１６は、ストレーナ出入口１２６からストレーナ１１６を引き出すときに物体を掛けるための物掛け部１３７を有する。ここでの「物体」には、たとえば、ドライバー等の工具、作業者の指が含まれる。本実施形態の物掛け部１３７は保持部材１２４に設けられる。本実施形態の物掛け部１３７は、ストレーナ１１６の下流側側面１２８ｂから厚み方向Ｐｔに窪む凹部により構成される。このような凹部として、本実施形態の物掛け部１３７はストレーナ１１６を厚み方向Ｐｔに貫通する貫通孔が構成している。本実施形態の物掛け部１３７は、ストレーナ１１６をストレーナ出入口１２６の奥側に突き当たるまで差し込んだ状態にあるとき、ストレーナ出入口１２６の外側に配置される。これにより、物掛け部１３７に掛けた物体に力を加えることで、ストレーナ出入口１２６からストレーナ１１６を引き出し易くなる。
【００８１】
図１６は、ストレーナ出入口１２６を通してストレーナ１１６を押し込む途中の状態を示す図である。ストレーナ１１６は、このようなときに、ストレーナ１１６の動きをガイドするガイド部１３８を有する。本実施形態のガイド部１３８は、ストレーナ１１６の間隔保持部１３４に設けられる。ガイド部１３８は、ストレーナ１１６の厚み方向Ｐｔの下流側側面１２８ｂ側に設けられることになる。ガイド部１３８は、ストレーナ出入口１２６を通してストレーナ１１６を押し込む方向Ｐｆに向かうにつれて、第１水路形成体１６から厚み方向Ｐｔに離れるように設けられる。第１水路形成体１６に対してガイド部１３８を接触させつつ、ストレーナ出入口１２６を通してストレーナ１１６を押し込むことで、そのガイド部１３８によって、厚み方向Ｐｔでのストレーナ１１６の動きがガイドされる。
【００８２】
（Ｃ）これにより、ストレーナ出入口１２６に対するストレーナ１１６の厚み方向Ｐｔでの位置合わせが容易となり、ストレーナ出入口１２６を通してストレーナ１１６を押し込み易くなる。
【００８３】
図１７は、図９のＤ−Ｄ線断面図である。本図ではストレーナ１１６の外観を示す。ストレーナ１１６は、ストレーナ出入口１２６を通してストレーナ１１６を引き出す方向Ｐｇでの動きを規制するように、他部材の一部に引っ掛けられる引掛部１４０を有する。ここでの「他部材」とは、本実施形態において第１水路形成体１６であるが、それとは別の部材でもよい。本実施形態の引掛部１４０は、ストレーナ１１６の一部となる保持部材１２４の基部１２４ｂから延びる腕部１４２の先端部に設けられる。第１水路形成体１６は、ストレーナ１１６の引掛部１４０を引っ掛けるための凹状の受け部１４４を有する。本実施形態の受け部１４４は第１水路形成体１６の外周部に設けられる。これにより、ストレーナ出入口１２６からストレーナ１１６が意図せず抜け出るのを抑えられる。
【００８４】
ストレーナ１１６の腕部１４２は、ストレーナ出入口１２６を通してストレーナ１１６を出し入れするときに弾性変形可能である。詳しくは、ストレーナ出入口１２６を通してストレーナ１１６を押し込むとき、第１水路形成体１６の一部となる外周部との接触によって、腕部１４２が弾性変形する。ストレーナ１１６が配置されるべき箇所までストレーナ１１６を押し込むと、腕部１４２が復元し、第１水路形成体１６の受け部１４４に引掛部１４０が引っ掛け可能な位置に配置される。
【００８５】
一方、ストレーナ出入口１２６を通してストレーナ１１６を引き出すとき、腕部１４２が弾性変形することによって、受け部１４４に対する引掛部１４０の引っ掛けが解除される。この状態でストレーナ１１６を更に引き出すと、ストレーナ出入口１２６からストレーナ１１６全体が引き出され、腕部１４２が復元する。
【００８６】
なお、腕部１４２は、本実施形態において、Ｘ方向から見てストレーナ１１６の出し入れ方向Ｐｅと交差する方向に弾性変形する。この「交差する方向」とは、本実施形態ではＹ方向となる。
【００８７】
図１８は、誤組付防止構造１４５の説明図である。図１６〜図１８に示すように、水回り部品１１８は、ストレーナ１１６の誤組み付けを防止するための誤組付防止構造１４５を備える。誤組付防止構造１４５は、第１水路形成体１６に設けられる干渉部１４７と、厚み方向Ｐｔに非対称な形状を持つストレーナ１１６とを組み合わせて構成される。本実施形態の干渉部１４７は第１水路形成体１６に設けられる突起部である。
【００８８】
誤組付防止構造１４５の干渉部１４７とストレーナ１１６は、ストレーナ出入口１２６を通してストレーナ１１６を押し込む場合に、図１６に示すように、所定の向きにストレーナ１１６が向いているときは干渉しない。ここでの「所定の向き」とは、第１水路形成体１６の内部でストレーナ１１６が配置されるべき箇所に配置されるときにストレーナ１１６が向いているべき向きをいう。これにより、第１水路形成体１６の内部でストレーナ１１６が配置されるべき箇所までストレーナ１１６を押し込み可能となる。
【００８９】
一方、誤組付防止構造１４５の干渉部１４７とストレーナ１１６は、ストレーナ出入口１２６を通してストレーナ１１６を押し込む場合に、所定の向きとは厚み方向Ｐｔで逆向きをストレーナ１１６が向いているときは干渉する。よって、第１水路形成体１６の内部でストレーナ１１６が配置されるべき箇所までストレーナ１１６を押し込み不能となる。
【００９０】
これにより、第１水路形成体１６に対してストレーナ１１６が厚み方向Ｐｔで誤った向きで組み付けられるのを防げる。特に、ストレーナ１１６が厚み方向Ｐｔで逆向きに配置されると、第１水路形成体１６の上流側対向面１３０ａとストレーナ１１６の間に隙間が形成される。この場合、ストレーナ１１６により異物を捕捉できず、ストレーナ１１６により所期の性能を発揮できなくなる。本実施形態によれば、このような事態を避けられる利点がある。
【００９１】
（第２の実施の形態）
図１９は、第２実施形態の原水改質装置１０の一部を示す側面断面図である。本実施形態は、主に、第１の工夫点や第２の工夫点に関連する。
【００９２】
図１１では、第１通水路３６は、カートリッジ１２とは別の部材が形成する例を説明した。本実施形態の第１通水路３６の一部は、カートリッジ１２が形成している。詳しく説明する。
【００９３】
図２０は、図１９からカートリッジ１２を取り外した状態を示す図である。図１９、図２０に示すように、第１水路形成体１６は、環の一部を切り欠いた切欠環状をなす第１水路形成部１４８を有する。第１水路形成部１４８は、第１水路形成体１６のカートリッジ１２側の端部に設けられる。第１水路形成部１４８は、下向きに開いた第１切欠部１４８ａと、Ｘ方向でカートリッジ１２側に向かって開いた第１開口部１４８ｂとを有する。
【００９４】
図２１は、カートリッジ１２の第１エンドキャップ６２を示す斜視図である。図１９、図２１に示すように、カートリッジ１２は、切欠環状をなす第２水路形成部１５０を有する。第２水路形成部１５０は、カートリッジ１２の第１水路形成体１６側の端部にある第１エンドキャップ６２に設けられる。第２水路形成部１５０は、下向きに開いた第２切欠部１５０ａと、Ｘ方向で第１水路形成体１６側に向かって開いた第２開口部１５０ｂとを有する。
【００９５】
第１水路形成体１６の第１水路形成部１４８の内側にはカートリッジ１２の第２水路形成部１５０が嵌め込まれる。第１水路形成部１４８や第２水路形成部１５０の内側には、第１通水路３６の一部が形成される。この第１通水路３６の一部は、第２水路形成部１５０の第２開口部１５０ｂを上流側とし、第１水路形成部１４８の第１切欠部１４８ａを送出口１００として水が流れる経路をいう。本図では、この第１通水路３６の一部での水の流れ方向に矢印Ｐｈを付して示す。前述した第１通水路３６の突き当たり面３６ｂは第１水路形成体１６側にあるカートリッジ１２の端面部が構成する。
【００９６】
図１９に示すように、カートリッジ収容室１４内にカートリッジ１２が収容されている場合、第１水路形成体１６の第１開口部１４８ｂはカートリッジ１２により覆われた状態となる。このとき、前述の通り、第１通水路３６にはカートリッジ１２により突き当たり面３６ｂが形成される。このとき、前述の通り、第１通水路３６の水路部３６ａを流れる水は突き当たり面３６ｂと衝突して流れ方向を変更し、第１通水路３６の送出口１００から下向きに送り出される。
【００９７】
図２２は、第１水路形成体１６から第２水路形成体１８を取り外した状態を示す側面断面図である。本実施形態においても、送出口１００から水を送り出す送出方向Ｐａは下向きに設定されている。よって、前述した効果（Ａ）を得られる。
【００９８】
図２０に示すように、カートリッジ収容室１４内にカートリッジ１２が収容されていない場合、第１水路形成体１６の第１開口部１４８ｂは開いた状態となる。このとき、第１通水路３６には前述の突き当たり面３６ｂが形成されない状態となる。よって、第１通水路３６の水路部３６ａを流れる水は流れ方向を変更することなく第１開口部１４８ｂからＸ方向に送り出される。
【００９９】
このように、本実施形態によれば、第１通水路３６の一部をカートリッジ１２が形成している。よって、カートリッジ１２の有無によって第１通水路３６での水の流れ方を変えるような設計を実現できる。
【０１００】
なお、カートリッジ１２と第１水路形成体１６のＸ方向に対向する箇所の間には送出口１００の一部となる隙間１００ａが形成される。この隙間１００ａにも突き当たり面３６ｂに衝突して流れ方向を下向きに変更した水が送り出され、その隙間１００ａから下向きに水が送り出される。
【０１０１】
図１９〜図２１を参照する。本例の第１水路形成体１６のカートリッジ拘束部８２は、前述の第１水路形成部１４８が構成する。本例のカートリッジ１２の被拘束部８４は、前述の第２水路形成部１５０が構成する。カートリッジ拘束部８２及び被拘束部８４の一方には嵌合凸部１５２が設けられ、それらの他方には嵌合凹部１５４が設けられる。本実施形態の嵌合凸部１５２は被拘束部８４に設けられ、嵌合凹部１５４はカートリッジ拘束部８２に設けられる。
【０１０２】
嵌合凹部１５４は、Ｘ方向に延びる第１溝部１５４ａと、第１溝部１５４ａの奥側端部から周方向に延びる第２溝部１５４ｂとを有する。嵌合凸部１５２は第１溝部１５４ａや第２溝部１５４ｂに沿ってスライド可能である。嵌合凸部１５２は嵌合凹部１５４の第２溝部１５４ｂ内に嵌合される。嵌合凸部１５２と第２溝部１５４ｂの接触によって、これらのＸ方向で互いに遠ざかる方向での相対移動が規制される。これにより、被拘束部８４がカートリッジ拘束部８２によりＸ方向に拘束される。このようにカートリッジ拘束部８２及び被拘束部８４は、嵌合凸部１５２が嵌合凹部１５４に嵌合することによってＸ方向に拘束される。以下、カートリッジ１２がカートリッジ拘束部８２によりＸ方向に拘束される位置を拘束位置という。
【０１０３】
以上のカートリッジ１２及び第１水路形成体１６は、嵌合凹部１５４に対する嵌合凸部１５２のスライドを伴い、互いに相対回転させた後に互いにＸ方向で遠ざかる方向に相対移動させることで分離可能である。また、カートリッジ１２及び第１水路形成体１６は、嵌合凹部１５４に対する嵌合凸部１５２のスライドを伴い、互いにＸ方向で近づく方向に相対移動させた後に相対回転させることで拘束位置まで動かすことができる。
【０１０４】
（第３の実施の形態）
図２３は、第３実施形態の原水改質装置１０の模式的な正面図である。図２３（ａ）は、第１水路形成体１６に第２水路形成体１８を取り付けた状態を示し、図２３（ｂ）は、第１水路形成体１６から第２水路形成体１８を取り外した状態を示す。本実施形態は、主に、第１の工夫点に関連する。
【０１０５】
図２では、スパウトインタイプの原水改質装置１０を説明した。この原水改質装置１０は、吐水装置を兼ねており、第２水路形成体１８が構成する吐水ヘッド２１にカートリッジ１２が組み込まれる。
【０１０６】
本例では、蛇口直結タイプの原水改質装置１０を示す。この原水改質装置１０は、吐水ヘッド２１に着脱可能に取り付けられる第１水路形成体１６と、第１水路形成体１６に着脱可能に取り付けられる第２水路形成体１８とを備える。原水改質装置１０の吐水部１５６Ａ、１５６Ｂには、本実施形態において、原水用の第１吐水部１５６Ａと、改質水用の第２吐水部１５６Ｂが含まれる。
【０１０７】
吐水部１５６Ａ、１５６Ｂに水を供給するための給水路３４は、単数の上流側水路１５８と、複数の下流側水路１６０Ａ、１６０Ｂとを有する。複数の下流側水路１６０Ａ、１６０Ｂには、第１吐水部１５６Ａに原水を送るための原水水路１６０Ａと、第２吐水部１５６Ｂに改質水を送るための改質水水路１６０Ｂとが含まれる。改質水水路１６０Ｂは、第１水路形成体１６及び第２水路形成体１８の内部を経由するように設けられる。第２水路形成体１８の内部には改質部６８が設けられる。
【０１０８】
原水改質装置１０は、ユーザにより操作される回転ハンドル５０（操作体）と、回転ハンドル５０に対する操作を通じて、複数の下流側水路１６０Ａ、１６０Ｂのいずれかに通水経路を切り替え可能な弁機構４６とを備える。
【０１０９】
本実施形態の第１水路形成体１６の第１通水路３６は改質水水路１６０Ｂの上流側部分が構成する。本実施形態の第２水路形成体１８の第２通水路３８は改質水水路１６０Ｂの下流側部分が構成する。
【０１１０】
図２では、第２水路形成体１８の内部にカートリッジ１２を収容するカートリッジ収容室１４が設けられる例を説明した。本実施形態では第２水路形成体１８そのものが原水を改質するためのカートリッジ１２を構成する。カートリッジ１２を交換するとき、第２水路形成体１８の全体を対象として交換することになる。この場合、第２水路形成体１８は、自らを交換するときに第１水路形成体１６から取り外される。
【０１１１】
本実施形態においても、第１通水路３６の送出口１００は、第１水路形成体１６から第２水路形成体１８を取り外したとき、上流側から送り込まれる水を外部に送り出せる位置に設けられる。また、この送出口１００の送出方向Ｐａは、下向きに設定されている。他の点では前述した構成と同様である。本実施形態によっても、前述した効果（Ａ）を得られる。
【０１１２】
なお、本実施形態の原水改質装置１０は第２水路形成体１８の第２吐水部１５６Ｂから改質水を吐き出す例を説明したが、第１水路形成体１６の第１吐水部１５６Ａから改質水を吐き出してもよい。また、本実施形態の原水改質装置１０でも、送出口１００から水を送り出す範囲Ｓａ（図４参照）は、その水をシンク３２の槽部３２ａの内壁面で受けられるように設定されてもよい。
【０１１３】
（第４の実施の形態）
図２４は、第４実施形態の原水改質装置１０の一部を示す図である。図２４（ａ）は、第１通水路３６にストレーナ１１６が配置された状態を示し、図２４（ｂ）は、ストレーナ１１６をストレーナ出入口１２６から押し込もうとする状態を示す。本実施形態は、主に、第３の工夫点に関連する。
【０１１４】
図１４では、ストレーナ１１６の下流側側面１２８ｂが間隔保持部１３４を有する例を説明した。この他にも、第１水路形成体１６の下流側対向面１３０ｂが間隔保持部１３４を有していてもよい。詳しくは、第１水路形成体１６の下流側対向面１３０ｂは、ストレーナ１１６の下流側側面１２８ｂ側に向けて突出するとともに、その下流側側面１２８ｂに接触する間隔保持部１３４を有する。
【０１１５】
この場合でも、前述した（Ｂ）の効果を得られる。このように、ストレーナ１１６又は第１水路形成体１６は、ストレーナ１１６の下流側側面１２８ｂ及び第１水路形成体１６の下流側対向面１３０ｂの一方から突出するとともに、その下流側側面１２８ｂ及び下流側対向面１３０ｂの他方に接触する間隔保持部１３４を有していてもよい。
【０１１６】
図１４ではストレーナ１１６がガイド部１３８を有する例を説明した。この他にも、第１水路形成体１６がガイド部１３８を有していてもよい。本実施形態のガイド部１３８は、ストレーナ１１６の下流側側面１２８ｂと対向する下流側対向面１３０ｂ、詳しくは、第１水路形成体１６の間隔保持部１３４に設けられる。ガイド部１３８は、ストレーナ出入口１２６を通してストレーナ１１６を引き出す方向に向かうにつれて、ストレーナ１１６から厚み方向Ｐｔに離れるように設けられる。
【０１１７】
第１水路形成体１６のガイド部１３８に対してストレーナ１１６を接触させつつ、ストレーナ出入口１２６を通してストレーナ１１６を押し込むことで、そのガイド部１３８によって、厚み方向Ｐｔでのストレーナ１１６の動きがガイドされる。これにより、前述した（Ｃ）の効果を得られる。
【０１１８】
以上、実施形態をもとに本発明を説明した。次に、各構成要素の変形例を説明する。
【０１１９】
原水改質装置１０は、スパウトインタイプ、蛇口直結タイプを例に説明したが、アンダーシンクタイプ、据え置きタイプでもよい。スパウトインタイプの原水改質装置１０の場合、操作部材２２や弁ユニット２４を備えていなくともよい。
【０１２０】
第１水路形成体１６や第２水路形成体１８は、装置ベース２０を介して基体２８に支持される例を説明したが、基体２８に直接に支持されていてもよい。これは、たとえば、アンダーシンクタイプ、据え置きタイプの原水改質装置１０を想定している。
【０１２１】
カートリッジ１２の原水の改質態様として、原水の浄化を例に説明したが、これに限定されない。たとえば、美容成分、臭い成分、炭酸成分、水素成分の付与等でもよい。
【０１２２】
カートリッジ１２は、カートリッジ収容室１４にＸ方向の少なくとも一部に亘る範囲が収容されていればよい。カートリッジ１２は、カートリッジ出入口１４ａから外側にはみ出るように設けられてもよいということである。カートリッジ１２は、たとえば、第２水路形成体１８のカートリッジ収容室１４にＸ方向の半分以上の範囲が収容され、その他の箇所を第１水路形成体１６や装置ベース２０に収容してもよい。この場合、第２水路形成体１８を第１水路形成体１６から取り外したとき、その装置ベース２０によってカートリッジ１２を支持しつつ、カートリッジ１２の一部を露出させることができる。このカートリッジ１２の露出箇所を用いてカートリッジ１２の交換を容易にできる。
【０１２３】
第１水路形成体１６は継手部材、第２水路形成体１８は吐水ヘッドを例に説明したが、その具体例は特に限定されない。たとえば、吐水ヘッドを互いに別体のグリップ部と頭部により構成し、グリップ部を第１水路形成体１６、頭部を第２水路形成体１８としてもよい。
【０１２４】
第１水路形成体１６は、第２水路形成体１８を装置ベース２０に脱着自在に接続していなくともよい。実施形態では装置ベース２０から給水ホース７４を引き出し可能な例を説明したが、給水ホース７４を引き出し可能ではなくともよいということである。
【０１２５】
第１水路形成体１６及び第２水路形成体１８を互いに脱着可能に取り付けるための具体的手段は特に限定されない。たとえば、このような具体的手段としては、クリップ等の留め具、ねじ構造等を用いてもよい。
【０１２６】
第２実施形態、第３実施形態の原水改質装置１０に第３の工夫点で説明した構成を組み合わせてもよい。
【０１２７】
（第１の工夫点に関して）
カートリッジ収容室１４は第２水路形成体１８の内部に設けられる例を説明したが、第１水路形成体１６の内部に設けられてもよい。この場合でも、カートリッジ１２を交換するときに、第１水路形成体１６から第２水路形成体１８が取り外されることが前提になっていればよい。第１水路形成体１６の内部にカートリッジ収容室１４が設けられる場合、カートリッジ出入口１４ａは第１水路形成体１６に形成されることになる。この場合、第２水路形成体１８が規制体１０２を構成し、その規制体１０２にカートリッジ拘束部８２を設けてもよい。
【０１２８】
第２水路形成体１８は外部水路５８と第１隙間水路１０４とを有する例を説明したが、第１隙間水路１０４がなくともよい。カートリッジ１２の内部に水を送り込むための外部水路の位置は特に限定されない。カートリッジ１２に対して外周側ではなく、カートリッジ１２に対してＸ方向に設けられてもよい。
【０１２９】
第１の工夫点で説明した構成を採用するうえで、原水改質装置１０はストレーナ１１６を備えていなくともよい。
【０１３０】
（第２の工夫点に関して）
規制体１０２のカートリッジ拘束部８２は、カートリッジ１２及び規制体１０２のＸ方向で互いに遠ざかる方向での相対移動を拘束していればよく、支持していなくともよい。
【０１３１】
カートリッジ拘束部８２によるカートリッジ１２の拘束態様は特に限定されない。たとえば、カートリッジの被拘束部８４に爪部８２ｂを引っ掛けたり、嵌合凸部１５２と嵌合凹部１５４の嵌合の他に、圧入、マグネット等によって実現されてもよい。
【０１３２】
カートリッジ１２の被拘束部８４は、規制体１０２に対して脱着自在に構成されていなくともよい。これは、たとえば、カートリッジ１２と規制体１０２が脱着不能に構成されており、カートリッジ１２の交換と併せて規制体１０２を交換する場合を想定している。
【０１３３】
（第３の工夫点に関して）
水回り装置１２０は水栓装置である例を説明した。本発明の適用の対象となる水回り装置１２０は水栓装置に限られず、たとえば、止水栓や電磁弁等の弁装置の他、便器、浴槽、洗面台、シンク等に用いられる機械装置でもよい。水回り部品１１８は、このような水回り装置に用いられる水路形成体を備えるものであればよい。
【０１３４】
ストレーナ１１６は、スクリーン１２２と保持部材１２４を組み合わせて構成される例を説明したが、スクリーン１２２のみで構成されていてもよい。
【０１３５】
スクリーン１２２は、平板状である例を説明したが、曲板状等のシート状をなしていてもよい。また、スクリーン１２２は、シート状のスクリーン１２２を巻いた筒状をなしていてもよい。
【０１３６】
ストレーナ１１６が配置される第１通水路３６は、給水路３４において改質水水路４２Ｂより下流側に設けられてもよい。
【０１３７】
ストレーナ１１６は凹部１３２を有していなくともよい。スクリーン１２２は、ストレーナ１１６の上流側側面１２８ａと面一に設けられてもよいということである。
【０１３８】
ストレーナ出入口１２６は、第１通水路３６の一部を構成する場合、上流側から水が送り込まれる第１通水路３６の送入口を構成していてもよい。
【０１３９】
第１水路形成体１６の下流側対向面１３０ｂとストレーナ１１６との間には、流れ方向を変更するための第２隙間水路１３６がなくともよい。これは、たとえば、第１水路形成体１６の下流側対向面１３０ｂに第１通水路３６の一部となる貫通孔が形成される場合を想定している。
【０１４０】
ストレーナ１１６は、第１水路形成体１６の一対の対向面１３０ａ、１３０ｂの間に圧入しない状態で配置されてもよい。
【０１４１】
ストレーナ１１６や第１水路形成体１６は、間隔保持部１３４、ガイド部１３８がなくともよい。ストレーナ１１６や第１水路形成体１６のガイド部１３８は間隔保持部１３４とは別の箇所に設けられてもよい。
【０１４２】
ストレーナ１１６の引掛部１４０は第１水路形成体１６の外周部に引っ掛けられる例を説明したが、第１水路形成体１６の内部に引っ掛けられてもよい。また、引掛部１４０はなくともよい。
【０１４３】
ストレーナ１１６の物掛け部１３７は、保持部材１２４に設けられる例を説明したが、スクリーン１２２に設けられてもよい。物掛け部１３７は凸部でもよいし、その形状は特に限定されない。また、物掛け部１３７はなくともよい。
【０１４４】
ストレーナ１１６は、出し入れ方向Ｐｅから見て、扁平な形状である例を説明したが、その形状は特に限定されない。
【０１４５】
第３の工夫点で説明した構成を採用するうえで、第１通水路３６の送出口１００の送出方向Ｐａは、下向きに設定されていなくともよい。
【０１４６】
以上、本発明の実施形態や変形例について詳細に説明した。前述した実施形態や変形例は、いずれも本発明を実施するにあたっての具体例を示したものにすぎない。実施形態や変形例の内容は、本発明の技術的範囲を限定するものではなく、請求の範囲に規定された発明の思想を逸脱しない範囲において、構成要素の変更、追加、削除等の多くの設計変更が可能である。前述の実施形態では、このような設計変更が可能な内容に関して、「実施形態の」「実施形態では」等との表記を付して強調しているが、そのような表記のない内容でも設計変更が許容される。以上の構成要素の任意の組み合わせも、本発明の態様として有効である。図面の断面に付したハッチングは、ハッチングを付した対象の材質を限定するものではない。
【０１４７】
以上の実施形態、変形例により具体化される発明を一般化すると、以下の技術的思想が導かれる。以下、発明が解決しようとする課題に記載の態様を用いて説明する。
【０１４８】
第２態様の原水改質装置は、第１態様において、前記第１通水路は、前記カートリッジとは別の部材が形成していてもよい。
この態様によれば、カートリッジの有無によらず、第１通水路の送出口から外部に水が飛び出したときに、その飛び散る範囲を小さくできる。
【０１４９】
第３態様の原水改質装置は、第１態様において、前記第１通水路の一部は、前記カートリッジが形成していてもよい。
この態様によれば、カートリッジの有無によって、第１通水路での水の流れ方を変えるような設計を実現できる。
【０１５０】
第４態様の原水改質装置は、前記第１水路形成体及び前記第２水路形成体の一方には、前記カートリッジ収容室から前記カートリッジを出し入れ可能なカートリッジ出入口が形成され、前記第１水路形成体及び前記第２水路形成体の他方は、前記カートリッジ出入口から外側に向かう方向での前記カートリッジの動きを規制する規制体であり、前記第１水路形成体及び前記第２水路形成体は、互いに取り外すときに第１方向に相対移動するように設けられ、前記規制体は、前記カートリッジ及び前記規制体の前記第１方向で互いに遠ざかる方向での相対移動を拘束するカートリッジ拘束部を有してもよい。
この態様によれば、第１水路形成体及び第２水路形成体を第１方向での相対移動を伴い分離するとき、規制体によってカートリッジ収容室の出入口からカートリッジを取り出せる。
【０１５１】
第５態様の原水改質装置は、第１から第４態様のいずれかにおいて、前記カートリッジ収容室は、前記第２水路形成体の内部に形成され、前記第２水路形成体は、前記カートリッジの外周面と前記カートリッジ収容室の内周面との間に形成され、前記カートリッジの内部に水を送り込むための外部水路と、前記カートリッジと前記第１水路形成体との間に形成される隙間水路と、を有し、前記送出口から送り出される水は、前記隙間水路を経由して前記外部水路に導かれてもよい。
この態様によれば、送出口から送り出される水を隙間水路を経由せずに外部水路に送り出す場合と比べ、外部水路に周方向で均一に水を流し易くなる。これに伴い、カートリッジの外周面から内部に向かう水の入り込み量を周方向で均一にでき、カートリッジを経由する水の流量の増大を図れる。
【０１５２】
第６態様の原水改質装置は、上流側から送り込まれる原水を送出口から送り出すための第１通水路が内部に形成される第１水路形成体を備え、前記第１水路形成体には、前記送出口から水が送り込まれる第２水路形成体が着脱可能に取り付けられ、前記第２水路形成体は、前記原水を改質するためのカートリッジを構成し、自らを交換するときに前記第１水路形成体から取り外され、前記送出口は、前記第１水路形成体から前記第２水路形成体を取り外したときに、上流側から送り込まれる水を外部に送り出せる位置に設けられ、前記送出口から水を送り出す方向は、下向きに設定されている。
この態様によれば、送出口から水を送り出す方向が上向きに設定されている場合と比べ、送出口から外部に水が飛び出したとき、その水の水平距離を小さくできる。これに伴い、その水の飛び散る範囲を小さくできる。
【０１５３】
第７態様の原水改質装置は、第１から第６態様のいずれかにおいて、前記第２水路形成体は、シンクの槽部内に水を吐き出し可能な吐水部を有し、前記送出口から水を送り出す範囲は、前記流出口から送り出される水を前記槽部の内壁面で受けられるように設定されてもよい。
この態様によれば、第１通水路の送出口から外部に水が飛び出しても、シンクの槽部の外部まで水が届くのを避けられ、その水によりユーザが濡れてしまう事態を避けられる。
【０１５４】
各態様の発明の権利範囲には、カートリッジが組み込まれていない原水改質装置も含まれる。また、各態様の発明の権利範囲には、第２水路形成体が第１水路形成体に取り付けられていない原水改質装置も含まれる。
【符号の説明】
【０１５５】
１０…原水改質装置、１２…カートリッジ、１４…カートリッジ収容室、１４ａ…カートリッジ出入口、１６…第１水路形成体、１８…第２水路形成体、２６…吐水部、３２…シンク、３２ａ…槽部、３６…第１通水路、５８…第１外部水路、８２…カートリッジ拘束部、１００…送出口、１０２…規制体、１５６Ａ…吐水部。
【図１】
2019209235.tif 000003
【図２】
2019209235.tif 000004
【図３】
2019209235.tif 000005
【図４】
2019209235.tif 000006
【図５】
2019209235.tif 000007
【図６】
2019209235.tif 000008
【図７】
2019209235.tif 000009
【図８】
2019209235.tif 000010
【図９】
2019209235.tif 000011
【図１０】
2019209235.tif 000012
【図１１】
2019209235.tif 000013
【図１２】
2019209235.tif 000014
【図１３】
2019209235.tif 000015
【図１４】
2019209235.tif 000016
【図１５】
2019209235.tif 000017
【図１６】
2019209235.tif 000018
【図１７】
2019209235.tif 000019
【図１８】
2019209235.tif 000020
【図１９】
2019209235.tif 000021
【図２０】
2019209235.tif 000022
【図２１】
2019209235.tif 000023
【図２２】
2019209235.tif 000024
【図２３】
2019209235.tif 000025
【図２４】
2019209235.tif 000026